(57)【要約】【課題】信号の中継伝送に要する時間を一定時間以内にすることができる無線端末、無線通信システム、無線通信方法及び無線通信プログラムを提供することである。【解決手段】実施形態の無線端末は、通信部と、通信制御部とを持つ。通信部は、信号の送信に関する情報を含む管理情報とデータとを含む信号を、前段の他無線端末から受信する。通信部は、信号から管理情報を読み出す。通信制御部は、読み出された管理情報を取得する。通信制御部は、信号の送信先となる後段の他無線端末を、管理情報に基づいて決定する。【選択図】図２
2018152779.tif 000002
【特許請求の範囲】
【請求項１】
信号の送信に関する情報を含む管理情報とデータとを含む前記信号を前段の他無線端末から受信し、前記信号から前記管理情報を読み出す通信部と、
読み出された前記管理情報を取得し、前記信号の送信先となる後段の他無線端末を前記管理情報に基づいて決定する通信制御部と
を備える無線端末。
【請求項２】
前記通信制御部は、前記信号の宛先アドレスを表す情報を前記管理情報として取得する、請求項１に記載の無線端末。
【請求項３】
前記通信制御部は、自無線端末に割り当てられているアドレスと前記宛先アドレスとが異なる場合、前記宛先アドレスが割り当てられている他無線端末を、前記信号の送信先となる後段の他無線端末と決定する、請求項２に記載の無線端末。
【請求項４】
前記通信制御部は、予め定められた中継回数の残り回数を表す情報を前記管理情報として更に取得し、前記残り回数が１以上である場合、前記宛先アドレスが割り当てられている他無線端末を、前記信号の送信先となる後段の他無線端末と決定する、請求項２又は請求項３のいずれか一項に記載の無線端末。
【請求項５】
前記通信制御部は、受信された前記信号の送信よりも、自無線端末によって生成された信号の送信を優先して、自無線端末によって生成された信号を前記後段の他無線端末に送信する、請求項１から請求項４のいずれか一項に記載の無線端末。
【請求項６】
前記通信制御部は、自無線端末によって生成された信号の送信よりも、受信された前記信号の送信を優先して、受信された前記信号を前記後段の他無線端末に送信する、請求項１から請求項４のいずれか一項に記載の無線端末。
【請求項７】
請求項１から請求項６のいずれか一項に記載の１以上の無線端末と、
前記無線端末によって中継伝送された信号を自装置に蓄積するサーバ装置と
を備える無線通信システム。
【請求項８】
無線端末が実行する無線通信方法であって、
信号の送信に関する情報を含む管理情報とデータとを含む前記信号を前段の他無線端末から受信し、前記信号から前記管理情報を読み出すステップと、
読み出された前記管理情報を取得し、前記信号の送信先となる後段の他無線端末を前記管理情報に基づいて決定するステップと
を含む無線通信方法。
【請求項９】
コンピュータに、
信号の送信に関する情報を含む管理情報とデータとを含む前記信号を前段の他無線端末から受信し、前記信号から前記管理情報を読み出す手順と、
読み出された前記管理情報を取得し、前記信号の送信先となる後段の他無線端末を前記管理情報に基づいて決定する手順と、
を実行させるための無線通信プログラム。
【発明の詳細な説明】
【技術分野】
【０００１】
本発明の実施形態は、無線端末、無線通信システム、無線通信方法及び無線通信プログラムに関する。
【背景技術】
【０００２】
無線通信システムにおいて、無線端末同士は信号を中継伝送する場合がある。しかしながら、無線端末が備える無線ＩＣ（Integrated Circuit）の処理速度は、コスト低減や省電力化を実現するために低速である場合がある。また、無線端末が備える無線ＩＣの記憶領域は、コスト低減や省電力化を実現するために小さい場合がある。処理速度が速く記憶領域が大きいＭＰＵと無線ＩＣとの両方を無線端末が備えたとしても、無線ＩＣとＭＰＵとの間の信号の伝送速度は低速である場合がある。したがって、従来の無線端末は、信号の中継伝送に要する時間を一定時間以内にすることができない場合があった。
【先行技術文献】
【特許文献】
【０００３】
【特許文献１】特許第５１６７２３５号公報
【発明の概要】
【発明が解決しようとする課題】
【０００４】
本発明が解決しようとする課題は、信号の中継伝送に要する時間を一定時間以内にすることができる無線端末、無線通信システム、無線通信方法及び無線通信プログラムを提供することである。
【課題を解決するための手段】
【０００５】
実施形態の無線端末は、通信部と、通信制御部とを持つ。通信部は、信号の送信に関する情報を含む管理情報とデータとを含む信号を、前段の他無線端末から受信する。通信部は、信号から管理情報を読み出す。通信制御部は、読み出された管理情報を取得する。通信制御部は、信号の送信先となる後段の他無線端末を、管理情報に基づいて決定する。
【図面の簡単な説明】
【０００６】
【図１】第１の実施形態の無線通信システムの構成の例を示す図。
【図２】第１の実施形態の無線端末の構成の例を示す図。
【図３】第１の実施形態の信号の例を示す図。
【図４】第１の実施形態の無線通信システムの動作の例を示すシーケンス図。
【図５】第２の実施形態の無線端末の構成の例を示す図。
【図６】第２の実施形態の無線通信システムの動作の例を示すシーケンス図。
【図７】第３の実施形態の無線通信システムの動作の例を示すシーケンス図。
【図８】第４の実施形態の無線通信システムの動作の例を示すシーケンス図。
【図９】第５の実施形態の無線通信システムの動作の例を示すシーケンス図。
【図１０】第６の実施形態の無線通信システムの動作の例を示すシーケンス図。
【図１１】第７の実施形態の無線通信システムの動作の例を示すシーケンス図。
【図１２】第８の実施形態の無線通信システムの動作の例を示すシーケンス図。
【図１３】第９の実施形態の無線通信システムの動作の例を示すシーケンス図。
【図１４】第１０の実施形態の無線通信システムの動作の例を示すシーケンス図。
【発明を実施するための形態】
【０００７】
以下、実施形態の無線端末、無線通信システム、無線通信方法及び無線通信プログラムを、図面を参照して説明する。
【０００８】
（第１の実施形態）
図１は、無線通信システム１の構成の例を示す図である。無線通信システム１は、複数の無線端末１００ａを備える。図１では、無線通信システム１は、無線端末１００ａ−１〜１００ａ−４と、サーバ装置２００とを備える。各無線端末１００ａは、１対１の無線通信によって信号を中継伝送する。中継伝送される信号は、管理情報を含むヘッダとデータとを含むフレーム形式で構成される。管理情報は、信号の送信を管理するための情報である。したがって、管理情報は信号に対応付けられている。無線端末１００ａ−３は、複数の無線端末１００ａによって中継伝送された信号を、サーバ装置２００に転送する。サーバ装置２００は、中継伝送された信号を自装置に蓄積する。
【０００９】
図２は、無線端末１００ａの構成の例を示す図である。無線端末１００ａは、無線通信を実行する端末である。無線端末１００ａは、通信部１１０ａと、通信制御部１２０ａとを備える。通信部１１０ａは、他無線端末と自無線端末との間で１対１の無線通信を実行する。通信部１１０ａは、例えば、無線ＩＣ等のハードウェアを用いて実現される。通信部１１０ａは、アンテナを有する。通信部１１０ａは、半導体記憶装置等の不揮発性の記録媒体（非一時的な記録媒体）であるメモリを有する。通信部１１０ａのメモリは、揮発性の記録媒体でもよい。通信部１１０ａのメモリは、他無線端末のアドレス情報が登録されているリストを予め記憶する。通信部１１０ａは、不揮発性又は揮発性の記録媒体である通信バッファを更に有する。
【００１０】
通信部１１０ａは、管理情報及びデータを含むフレーム形式の信号を、無線通信によって他無線端末から取得する。通信部１１０ａは、他無線端末から取得された信号の管理情報の少なくとも一部を、通信制御部１２０ａに出力する。通信部１１０ａは、同期シリアル通信又は非同期シリアル通信で、管理情報の少なくとも一部を通信制御部１２０ａに出力する。なお、通信部１１０ａは、無線通信システム１の他無線端末から取得された信号のデータの少なくとも一部を、通信制御部１２０ａに出力してもよい。
【００１１】
図３は、信号の例を示す図である。通信部１１０ａのメモリは、信号を記憶する。信号は、データテーブルの形式で記憶されてもよい。信号は、自無線端末の通信制御部１２０ａが生成した信号でもよいし、自無線端末が他無線端末から取得した信号でもよい。管理情報は、送信先の無線端末１００ａのアドレスである宛先アドレスを表す情報（以下「宛先アドレス情報」という。）を含む。管理情報は、無線端末１００ａがブロードキャスト送信を実行する場合、予め定められた中継回数の残り回数を表す情報（以下「中継可能回数情報」という。）を含む。中継可能回数情報が表す値は、他無線端末に信号が中継伝送されるごとに、自無線端末によって１ずつ減算される。管理情報は、例えば、送信元の無線端末を示す送信元アドレス情報、ネットワークグループ情報、シーケンス番号、データを受信した時刻である受信時刻情報を更に含んでもよい。管理情報のサイズは、データのサイズよりも小さく、例えば、数バイト以下である。
【００１２】
通信制御部１２０ａは、自無線端末の各部を制御する。通信制御部１２０ａは、例えば、ＭＰＵ（Micro Processing Unit）等のプロセッサが、通信部１１０ａのメモリに記憶されたプログラムを実行することにより実現される。通信制御部１２０ａは、自無線端末が送信元であるデータを生成してもよい。通信制御部１２０ａは、前段の他無線端末から取得されたデータを転送する先である後段の他無線端末を決定してもよい。すなわち、通信制御部１２０ａは、データの送信先である他無線端末を決定してもよい。通信制御部１２０ａは、宛先アドレス情報等の管理情報を更新することを表す通知（以下「管理情報更新通知」という。）と、送信先である無線端末１００ａのアドレスとを、通信部１１０ａに出力する。
【００１３】
図４は、無線通信システム１の動作の例を示すシーケンス図である。以下、第１の無線端末が生成する信号を「第１信号」という。第１の無線端末は、例えば、無線端末１００ａ−１である。無線端末１００ａ−１の通信制御部１２０ａ−１は、管理情報及びデータを含む第１信号を生成する（ステップＳ１０１）。通信制御部１２０ａ−１は、通信部１１０ａ−１に第１信号を出力する（ステップＳ１０２）。通信部１１０ａ−１は、無線端末１００ａ−２の通信部１１０ａ−２に、第１信号を無線送信する（ステップＳ１０３）。
【００１４】
通信部１１０ａ−２は、第１信号を記憶する（ステップＳ１０４）。通信部１１０ａ−２は、第１信号に含まれている宛先アドレス情報等の管理情報を、通信制御部１２０ａ−２に出力する。通信部１１０ａ−２は、第１信号に含まれている宛先アドレス情報を通信制御部１２０ａ−２に出力し、宛先アドレス情報以外を通信制御部１２０ａ−２に出力しなくてもよい。通信部１１０ａ−２と通信制御部１２０ａ−２との間における伝送時間は、宛先アドレス情報を通信部１１０ａ−２が通信制御部１２０ａ−２に出力し、宛先アドレス情報以外を通信部１１０ａ−２が通信制御部１２０ａ−２に出力しない場合、宛先アドレス情報を含む管理情報の全体を通信部１１０ａ−２が通信制御部１２０ａ−２に出力する場合と比較して短時間である（ステップＳ１０５）。
【００１５】
通信制御部１２０ａ−２は、後段の他無線端末に第１信号を中継する必要があるか否かを判定する。通信制御部１２０ａ−２は、無線端末１００ａ−２のアドレスと宛先アドレスとが異なる場合、第１信号を中継する必要があると判定する。また、通信制御部１２０ａ−２は、中継可能回数が１回以上を示している場合、第１信号を中継する必要があると判定してもよい（ステップＳ１０６）。
【００１６】
通信制御部１２０ａ−２は、第１信号に含まれている宛先アドレス情報が示すアドレスが割り当てられている無線端末１００ａ−３を、送信先の無線端末と決定する（ステップＳ１０７）。通信制御部１２０ａ−２は、管理情報更新通知と、送信先である無線端末１００ａ−３のアドレスとを、通信部１１０ａ−２に出力する（ステップＳ１０８）。
【００１７】
通信部１１０ａ−２は、送信先である無線端末１００ａ−３のアドレスを示すように宛先アドレス情報等の管理情報を更新する。通信部１１０ａ−２は、宛先アドレス情報が更新された第１信号を、送信先である無線端末１００ａ−３の通信部１１０ａ−３に送信する（ステップＳ１０９）。
【００１８】
通信部１１０ａ−３は、第１信号を記憶する（ステップＳ１１０）。通信部１１０ａ−３は、第１信号に含まれている宛先アドレス情報等の管理情報を、通信制御部１２０ａ−３に出力する（ステップＳ１１１）。通信制御部１２０ａ−３は、後段の他無線端末に第１信号を中継する必要があるか否かを判定する。通信制御部１２０ａ−３は、無線端末１００ａ−３のアドレスと宛先アドレスとが同じである場合、第１信号を中継する必要がないと判定する（ステップＳ１１２）。
【００１９】
通信制御部１２０ａ−３は、第１信号に含まれている宛先アドレス情報が示すアドレスと無線端末１００ａ−３のアドレスとが同じであるため、第１信号を取得することを表す通知（受信通知）を、通信部１１０ａ−３に出力する（ステップＳ１１３）。通信部１１０ａ−３は、第１信号を通信制御部１２０ａ−３に出力する。通信制御部１２０ａ−３は、第１信号に基づいて所定の処理を実行する（ステップＳ１１４）。
【００２０】
以上のように、第１実施形態の無線端末１００ａは、通信部１１０ａと、通信制御部１２０ａとを持つ。通信部１１０ａは、信号の送信に関する情報を含む管理情報とデータとを含む信号を、前段の他無線端末から受信する。通信部１１０ａは、信号から管理情報を読み出す。通信制御部１２０ａは、読み出された管理情報を取得する。通信制御部１２０ａは、信号の送信先となる後段の他無線端末を、管理情報に基づいて決定する。
【００２１】
これによって、第１実施形態の無線端末１００ａは、信号の中継伝送に要する時間を一定時間以内にすることができる。従来の通信部は、仕様が予め定められている無線ＩＣのパッケージとして販売されていることが多い。このような従来の無線ＩＣは、中継伝送された信号の全てを通信制御部に出力してしまうため、従来の通信部と通信制御部との間の信号の伝送に時間を要してしまい、信号の中継伝送に要する時間を一定時間以内にすることができなかった。これに対して、第１実施形態の通信部１１０ａは、中継伝送された信号の一部である管理情報を通信制御部１２０ａに出力する。つまり、第１実施形態の通信部１１０ａは、中継伝送された信号のデータを通信制御部１２０ａに出力しなくてもよい。第１実施形態の無線端末１００ａは、中継伝送された信号の一部である管理情報に基づいて信号を中継伝送するので、中継伝送された信号の全てに基づいて中継伝送する場合と比較して、記憶領域の読み書きに要する時間が抑制され、中継伝送に要する時間を一定時間以内にすることが可能である。
【００２２】
（第２の実施形態）
第２の実施形態では、通信部と通信制御部とによって共用されるメモリを無線端末が備える点が、第１の実施形態と相違する。第２の実施形態では、第１の実施形態との相違点についてのみ説明する。
【００２３】
図５は、無線端末１００ｂの構成の例を示す図である。第２実施形態では、無線通信システム１は、無線端末１００ｂ−１〜１００ｂ−４を備える。無線端末１００ｂは、無線通信を実行する端末である。無線端末１００ｂは、通信部１１０ｂと、通信制御部１２０ｂと、メモリ１３０とを備える。通信部１１０ｂ及び通信制御部１２０ｂの一部又は全部は、例えば、無線ＩＣ等のハードウェアを用いて実現される。
【００２４】
通信部１１０ｂは、他無線端末と自無線端末との間で１対１の無線通信を実行する。通信部１１０ｂは、アンテナを有する。通信部１１０ｂは、不揮発性又は揮発性の記録媒体である通信バッファを有する。通信部１１０ｂは、管理情報及びデータを含むフレーム形式の信号を、無線通信によって他無線端末から取得する。
【００２５】
通信部１１０ｂは、通信部１１０ｂの通信バッファのサイズが小さいので、他無線端末から取得された信号の一部を通信バッファに記憶することはできても、他無線端末から取得された信号の全部を通信バッファに記憶することはできない。そこで、通信部１１０ｂは、他無線端末から取得された信号を、メモリ１３０に出力する。通信部１１０ｂは、他無線端末から取得された信号を、メモリ１３０に出力する。
【００２６】
通信制御部１２０ｂは、自無線端末の各部を制御する。通信制御部１２０ｂは、自無線端末が送信元であるデータを生成してもよい。通信制御部１２０ｂは、前段の他無線端末から取得されたデータを転送する先である後段の他無線端末を決定してもよい。通信制御部１２０ｂは、第１信号の管理情報をメモリ１３０から取得する。通信制御部１２０ｂは、第１信号の管理情報を更新する。通信制御部１２０ｂは、更新された管理情報を、第１信号に対応付けてメモリ１３０に記録する。
【００２７】
メモリ１３０は、半導体記憶装置等の不揮発性の記録媒体（非一時的な記録媒体）である。メモリ１３０は、ＲＡＭ（Random access memory）等の揮発性の記録媒体でもよい。メモリ１３０は、信号を記憶する。信号は、自無線端末の通信制御部１２０ｂが生成した信号でもよいし、自無線端末が他無線端末から取得した信号でもよい。信号は、データテーブルの形式で記憶されてもよい。
【００２８】
図６は、無線通信システム１の動作の例を示すシーケンス図である。第１の無線端末は、例えば、無線端末１００ｂ−１である。無線端末１００ｂ−１の通信制御部１２０ｂ−１は、管理情報及びデータを含む第１信号を生成する（ステップＳ２０１）。通信制御部１２０ｂ−１は、通信部１１０ｂ−１に第１信号を出力する（ステップＳ２０２）。通信部１１０ｂ−１は、無線端末１００ｂ−２の通信部１１０ｂ−２に、第１信号を無線送信する（ステップＳ２０３）。
【００２９】
通信部１１０ｂ−２は、第１信号をメモリ１３０−２に記録する（ステップＳ２０４）。通信部１１０ｂ−２は、管理情報を読み出すことを表す通知（以下「管理情報読出通知」という。）を、通信制御部１２０ｂ−２に出力する（ステップＳ２０５）。管理情報読出通知は、メモリ等に記憶されている複数の信号を管理するための信号識別情報と、処理待ちのデータを通信部１１０ｂが保持している状態であることを示す情報とを含んでもよい。
【００３０】
通信制御部１２０ｂ−２は、メモリ１３０−２に記録された第１信号から、管理情報を読み出す（ステップＳ２０６）。通信制御部１２０ｂ−２は、後段の他無線端末に第１信号を中継する必要があるか否かを判定する。通信制御部１２０ｂ−２は、無線端末１００ｂ−２のアドレスと宛先アドレスとが異なる場合、第１信号を中継する必要があると判定する。通信制御部１２０ｂ−２は、中継可能回数が１回以上を示している場合、第１信号を中継する必要があると判定してもよい（ステップＳ２０７）。
【００３１】
通信制御部１２０ｂ−２は、第１信号に含まれている宛先アドレス情報が示すアドレスが割り当てられている無線端末１００ｂ−３を、送信先の無線端末と決定する（ステップＳ２０８）。通信制御部１２０ｂ−２は、送信先である無線端末１００ａ−３のアドレスを示すように宛先アドレス情報を更新する。通信部１１０ｂ−２は、メモリ１３０−２に記憶されている第１信号の管理情報に、更新された宛先アドレス情報等を書き込む（ステップＳ２０９）。
【００３２】
通信制御部１２０ｂ−２は、管理情報更新通知と無線端末１００ｂ−３のアドレスとを、通信部１１０ｂ−２に出力する（ステップＳ２１０）。通信部１１０ｂ−２は、第１信号をメモリ１３０−２から取得する（ステップＳ２１１）。通信部１１０ｂ−２は、宛先アドレス情報が更新された第１信号を、送信先である無線端末１００ｂ−３の通信部１１０ｂ−３に送信する（ステップＳ２１２）。
【００３３】
通信部１１０ｂ−３は、第１信号をメモリ１３０−３に記録する（ステップＳ２１３）。通信部１１０ｂ−３は、管理情報読出通知を通信制御部１２０ｂ−３に出力する（ステップＳ２１４）。通信制御部１２０ｂ−３は、メモリ１３０−３に記録された第１信号から、管理情報を読み出す（ステップＳ２１５）。
【００３４】
通信制御部１２０ｂ−３は、後段の他無線端末に第１信号を中継する必要があるか否かを判定する。通信制御部１２０ｂ−３は、無線端末１００ｂ−３のアドレスと宛先アドレスとが異なる場合、第１信号を中継する必要があると判定する。通信制御部１２０ｂ−３は、中継可能回数が１回以上を示している場合、第１信号を中継する必要があると判定してもよい（ステップＳ２１６）。
【００３５】
通信制御部１２０ｂ−３は、第１信号に含まれている宛先アドレス情報が示すアドレスと無線端末１００ｂ−３のアドレスとが同じであるため、第１信号を取得することを表す通知（受信通知）を、通信部１１０ｂ−３に出力する（ステップＳ２１７）。通信制御部１２０ｂ−３は、第１信号をメモリ１３０−３から取得する。通信制御部１２０ｂ−３は、第１信号に基づいて所定の処理を実行する（ステップＳ２１８）。
【００３６】
以上のように、第２実施形態の無線端末１００ｂは、通信部１１０ｂと、通信制御部１２０ｂとを持つ。通信部１１０ｂは、信号の送信に関する情報を含む管理情報とデータとを含む信号を、前段の他無線端末から受信する。通信部１１０ｂは、メモリ１３０を介して、信号から管理情報を読み出す。通信制御部１２０ｂは、読み出された管理情報を取得する。通信制御部１２０ａは、信号の送信先となる後段の他無線端末を、管理情報に基づいて決定する。
【００３７】
これによって、第２実施形態の無線端末１００ｂは、信号の中継伝送に要する時間を一定時間以内にすることができる。従来の無線端末の通信部、通信制御部及びメモリは、仕様が予め定められている無線ＩＣのパッケージとして販売されていることが多い。このような従来の無線ＩＣは、処理速度が低速である等の理由で、信号の中継伝送に要する時間を一定時間以内にすることができなかった。これに対して、第２実施形態の無線端末１００ｂは、中継伝送された信号の一部である管理情報のみを読み出して、読み出された管理情報に基づいて信号を中継伝送してもよい。これによって、第２実施形態の無線端末１００ｂは、中継伝送された信号の全てに基づいて中継伝送する場合と比較して、記憶領域の読み書きに要する時間が抑制され、中継伝送に要する時間を一定時間以内にすることが可能である。
【００３８】
（第３の実施形態）
第３の実施形態では、信号の送信先が決定されない場合に無線端末１００ａが信号を破棄する点が、第１の実施形態と相違する。第３の実施形態では、第１の実施形態との相違点についてのみ説明する。
【００３９】
図７は、無線通信システム１の動作の例を示すシーケンス図である。ステップＳ３０１からステップＳ３０６までは、図４のステップＳ１０１からステップＳ１０６までと同様である。図７では、送信先の無線端末が不明である。通信制御部１２０ａ−２は、第１信号に含まれている宛先アドレス情報が示すアドレスが他無線端末のアドレス情報のリストに登録されていないので、送信先の無線端末を決定できない（ステップＳ３０７）。通信制御部１２０ａ−２は、第１信号等の信号を破棄することを表す通知（以下「信号破棄通知」という。）を、通信部１１０ａ−２に出力する（ステップＳ３０８）。通信部１１０ａ−２は、通信部１１０ａ−２のメモリに記憶されている第１信号を破棄する（ステップＳ３０９）。
【００４０】
以上のように、第３実施形態の通信部１１０ａは、送信先の他無線端末が不明である場合、信号通知信号破棄通知を通信制御部１２０ａに出力する。通信制御部１２０ａは、信号破棄通知を取得した場合、通信制御部１２０ａのメモリに記憶されている信号を破棄する。これによって、第３実施形態の無線端末１００ａは、不要となった信号が記憶領域を占有することがないので、通信部１１０ａのメモリの記憶領域の利用効率を向上させることができる。
【００４１】
（第４の実施形態）
第４の実施形態では、信号の送信先が決定されない場合に無線端末１００ｂが信号を破棄する点が、第２の実施形態と相違する。第４の実施形態では、第２の実施形態との相違点についてのみ説明する。
【００４２】
図８は、無線通信システム１の動作の例を示すシーケンス図である。ステップＳ４０１からステップＳ４０７までは、図６のステップＳ２０１からステップＳ２０７までと同様である。図８では、送信先の無線端末が不明である。通信制御部１２０ｂ−２は、第１信号に含まれている宛先アドレス情報が示すアドレスが他無線端末のアドレス情報のリストに登録されていないので、送信先の無線端末を決定できない（ステップＳ４０８）。通信制御部１２０ｂ−２は、信号破棄通知を通信部１１０ｂ−２に出力する（ステップＳ４０９）。通信部１１０ｂ−２は、メモリ１３０−２に記憶されている第１信号を破棄する（ステップＳ４１０）。
【００４３】
以上のように、第４実施形態の通信部１１０ｂは、送信先の他無線端末が不明である場合、信号通知信号破棄通知を通信制御部１２０ｂに出力する。通信制御部１２０ｂは、信号破棄通知を取得した場合、メモリ１３０に記憶されている信号を破棄する。これによって、第４実施形態の無線端末１００ｂは、不要となった信号が記憶領域を占有することがないので、メモリ１３０の記憶領域の利用効率を向上させることができる。
【００４４】
（第５の実施形態）
第５の実施形態では、無線端末１００ａ−２に異常が発生した場合に無線端末１００ａ−２がデータを破棄する点が、第１の実施形態と相違する。第５の実施形態では、第１の実施形態との相違点についてのみ説明する。
【００４５】
図９は、無線通信システム１の動作の例を示すシーケンス図である。ステップＳ５０１からステップＳ５０５までは、図４のステップＳ１０１からステップＳ１０５までと同様である。通信制御部１２０ａ−２は、所定の異常が発生している状態であるため、通信部１１０ａ−２に応答することができない（ステップＳ５０６）。通信部１１０ａ−２は、宛先アドレス情報等の管理情報を通信制御部１２０ａ−２に通知したことの応答を、所定時間だけ待つ（ステップＳ５０７）。通信部１１０ａ−２は、宛先アドレス情報等の管理情報を通信制御部１２０ａ−２に通知した後から所定時間経過しても、応答を通信制御部１２０ａ−２から取得できない場合、通信部１１０ａ−２のメモリに記憶されている第１信号を破棄する（ステップＳ５０８）。
【００４６】
以上のように、第５実施形態の通信部１１０ａは、宛先アドレス情報等の管理情報を通信制御部１２０ａに通知した後から所定時間経過しても、応答を通信制御部１２０ａから取得できない場合、通信部１１０ａのメモリに記憶されている信号を破棄する。これによって、第５実施形態の無線端末１００ａは、不要となった信号が記憶領域を占有することがないので、通信部１１０ａのメモリの記憶領域の利用効率を向上させることができる。
【００４７】
（第６の実施形態）
第６の実施形態では、無線端末１００ｂ−２に異常が発生した場合に無線端末１００ｂ−２がデータを破棄する点が、第２の実施形態と相違する。第６の実施形態では、第２の実施形態との相違点についてのみ説明する。
【００４８】
図１０は、無線通信システム１の動作の例を示すシーケンス図である。ステップＳ６０１からステップＳ６０５までは、図６のステップＳ２０１からステップＳ２０５までと同様である。通信制御部１２０ｂ−２は、所定の異常が発生している状態であるため、通信部１１０ｂ−２に応答することができない（ステップＳ６０６）。通信部１１０ｂ−２は、宛先アドレス情報等の管理情報を通知したことの応答を、所定時間だけ待つ（ステップＳ６０７）。通信部１１０ｂ−２は、宛先アドレス情報等の管理情報を通信制御部１２０ｂ−２に通知した後から所定時間経過しても、応答を通信制御部１２０ｂ−２から取得できない場合、メモリ１３０−２に記憶されている第１信号を破棄する（ステップＳ６０８）。
【００４９】
以上のように、第６実施形態の通信部１１０ｂは、宛先アドレス情報等の管理情報を通信制御部１２０ｂに通知した後から所定時間経過しても、応答を通信制御部１２０ｂから取得できない場合、メモリ１３０に記憶されている信号を破棄する。これによって、第６実施形態の無線端末１００ｂは、不要となった信号が記憶領域を占有することがないので、メモリ１３０の記憶領域の利用効率を向上させることができる。
【００５０】
（第７の実施形態）
第７の実施形態では、無線端末１００ａ−１から取得された第１データと無線端末１００ａ−２が生成した第２データとを、無線端末１００ａ−２が第２データを優先して無線端末１００ａ−３に送信する点が、第１の実施形態と相違する。第７の実施形態では、第１の実施形態との相違点についてのみ説明する。
【００５１】
図１１は、無線通信システム１の動作の例を示すシーケンス図である。以下、第２の無線端末が生成する信号を「第２信号」という。第２の無線端末は、例えば、無線端末１００ａ−２である。ステップＳ７０１からステップＳ７０４までは、図４のステップＳ１０１からステップＳ１０４までと同様である。無線端末１００ａ−２の通信制御部１２０ａ−２は、管理情報及びデータを含む第２信号を生成する（ステップＳ７０５）。通信制御部１２０ａ−２は、通信部１１０ａ−２に第２信号を出力する（ステップＳ７０６）。
【００５２】
通信部１１０ａ−２は、通信部１１０ａ−２が第２信号を受信したので、第１信号に含まれている宛先アドレス情報等の管理情報を通信制御部１２０ａ−２に出力することを保留する（ステップＳ７０７）。通信部１１０ａ−２は、無線端末１００ａ−３の通信部１１０ａ−３に、第２信号を無線送信する（ステップＳ７０８）。無線端末１００ａ−３は、図４のステップＳ１１０からステップＳ１１４までと同様に、第２信号を処理する。
【００５３】
通信部１１０ａ−２は、第１信号に含まれている宛先アドレス情報等の管理情報を第１信号から読み出す。通信部１１０ａ−２は、宛先アドレス情報等の管理情報を通信制御部１２０ａ−２に出力する（ステップＳ７０９）。ステップＳ７１０からステップＳ７１４までは、図４のステップＳ１０５からステップＳ１０９までと同様である。無線端末１００ａ−３は、図４のステップＳ１１０からステップＳ１１４までと同様に、第１信号を処理する。
【００５４】
以上のように、第７実施形態の通信制御部１２０ａは、受信された信号の送信よりも、自無線端末によって生成された信号の送信を優先して、自無線端末によって生成された信号を後段の他無線端末に通信部１１０ａから送信する。これによって、第７実施形態の無線端末１００ａは、複数の信号の中継伝送に要する時間を一定時間以内にすることができる。
【００５５】
（第８の実施形態）
第８の実施形態では、無線端末１００ｂ−１から取得された第１データと無線端末１００ｂ−２が生成した第２データとを、無線端末１００ｂ−２が第２データを優先して無線端末１００ｂ−３に送信する点が、第２の実施形態と相違する。第８の実施形態では、第２の実施形態との相違点についてのみ説明する。
【００５６】
図１２は、無線通信システム１の動作の例を示すシーケンス図である。ステップＳ８０１からステップＳ８０４までは、図６のステップＳ２０１からステップＳ２０４までと同様である。無線端末１００ｂ−２の通信制御部１２０ｂ−２は、管理情報及びデータを含む第２信号を生成する（ステップＳ８０５）。通信制御部１２０ｂ−２は、通信部１１０ｂ−２に第２信号を出力する（ステップＳ８０６）。
【００５７】
通信部１１０ｂ−２は、通信部１１０ｂ−２が第２信号を受信したので、第１信号に含まれている宛先アドレス情報等の管理情報を通信制御部１２０ｂ−２に出力することを保留する（ステップＳ８０７）。通信部１１０ｂ−２は、無線端末１００ｂ−３の通信部１１０ｂ−３に、第２信号を無線送信する（ステップＳ８０８）。無線端末１００ｂ−３は、図６のステップＳ２１３からステップＳ２１８までと同様に、第２信号を処理する。
【００５８】
通信部１１０ｂ−２は、第１信号に含まれている宛先アドレス情報等の管理情報を、第１信号から読み出す。通信部１１０ｂ−２は、宛先アドレス情報等の管理情報を、通信制御部１２０ｂ−２に出力する（ステップＳ８０９）。ステップＳ８１０からステップＳ８１７までは、図６のステップＳ２０５からステップＳ２１２までと同様である。無線端末１００ｂ−３は、図６のステップＳ２１３からステップＳ２１８までと同様に、第１信号を処理する。
【００５９】
以上のように、第８実施形態の通信制御部１２０ｂは、受信された信号の送信よりも、自無線端末によって生成された信号の送信を優先して、自無線端末によって生成された信号を後段の他無線端末に通信部１１０ｂから送信する。これによって、第８実施形態の無線端末１００ｂは、複数の信号の中継伝送に要する時間を一定時間以内にすることができる。
【００６０】
（第９の実施形態）
第９の実施形態では、無線端末１００ａ−１から取得された第１データと無線端末１００ａ−２が生成した第２データとを、無線端末１００ａ−２が第１データを優先して無線端末１００ａ−３に送信する点が、第１の実施形態と相違する。第９の実施形態では、第１の実施形態との相違点についてのみ説明する。
【００６１】
図１３は、無線通信システム１の動作の例を示すシーケンス図である。ステップＳ９０１からステップＳ９０４までは、図４のステップＳ１０１からステップＳ１０４までと同様である。無線端末１００ａ−２の通信制御部１２０ａ−２は、管理情報及びデータを含む第２信号を生成する（ステップＳ９０５）。通信制御部１２０ａ−２は、通信部１１０ａ−２に第２信号を出力する（ステップＳ９０６）。
【００６２】
通信部１１０ａ−２は、通信部１１０ａ−２のメモリに第１信号が記憶されているので、第２信号等の信号を受信することができないことを表す通知（以下「受信不可通知」という。）を、通信制御部１２０ａ−２に出力する（ステップＳ９０７）。通信制御部１２０ａ−２は、通信制御部１２０ａ−２が受信不可通知を受信したので、第２信号を通信部１１０ａ−２に出力することを中断する（ステップＳ９０８）。
【００６３】
ステップＳ９０９からステップＳ９１３までは、図４のステップＳ１０５からステップＳ１０９までと同様である。無線端末１００ａ−３は、図４のステップＳ１１０からステップＳ１１４までと同様に、第２信号を処理する。通信部１１０ａ−２は、第１信号が送信されたので、第２信号等の信号を受信することができることを表す通知（以下「受信可能通知」という。）を、通信制御部１２０ａ−２に出力する（ステップＳ９１４）。
【００６４】
通信制御部１２０ａ−２は、通信部１１０ａ−２に第２信号を再送する（ステップＳ９１５）。通信部１１０ａ−２は、宛先アドレス情報が更新された第２信号を、送信先である無線端末１００ａ−３の通信部１１０ａ−３に送信する（ステップＳ９１６）。無線端末１００ａ−３は、図４のステップＳ１１０からステップＳ１１４までと同様に、第１信号を処理する。
【００６５】
以上のように、第９実施形態の通信制御部１２０ａは、自無線端末によって生成された信号の送信よりも、受信された信号の送信を優先して、受信された信号の送信を後段の他無線端末に通信部１１０ａから送信する。これによって、第９実施形態の無線端末１００ａは、複数の信号の中継伝送に要する時間を一定時間以内にすることができる。
【００６６】
（第１０の実施形態）
第１０の実施形態では、無線端末１００ｂ−１から取得された第１データと無線端末１００ｂ−２が生成した第２データとを、無線端末１００ｂ−２が第１データを優先して無線端末１００ｂ−３に送信する点が、第２の実施形態と相違する。第１０の実施形態では、第２の実施形態との相違点についてのみ説明する。
【００６７】
図１４は、無線通信システム１の動作の例を示すシーケンス図である。ステップＳ１００１からステップＳ１００４までは、図６のステップＳ２０１からステップＳ２０４までと同様である。無線端末１００ｂ−２の通信制御部１２０ｂ−２は、管理情報及びデータを含む第２信号を生成する（ステップＳ１００５）。通信制御部１２０ｂ−２は、通信部１１０ｂ−２に第２信号を出力する（ステップＳ１００６）。
【００６８】
通信部１１０ｂ−２は、メモリ１３０−２に第１信号が記憶されているので、受信不可通知を通信制御部１２０ｂ−２に出力する（ステップＳ１００７）。通信制御部１２０ｂ−２は、通信制御部１２０ｂ−２が受信不可通知を受信したので、第２信号を通信部１１０ｂ−２に出力することを中断する（ステップＳ１００８）。ステップＳ１００９からステップＳ１０１６までは、図６のステップＳ２０５からステップＳ２１２までと同様である。無線端末１００ｂ−３は、図６のステップＳ２１３からステップＳ２１８までと同様に、第１信号を処理する。
【００６９】
通信部１１０ｂ−２は、第１信号が送信されたので、受信可能通知を通信制御部１２０ｂ−２に出力する（ステップＳ１０１７）。通信制御部１２０ｂ−２は、通信部１１０ｂ−２に第２信号を再送する（ステップＳ１０１８）。通信部１１０ｂ−２は、宛先アドレス情報が更新された第２信号を、送信先である無線端末１００ａ−３の通信部１１０ｂ−３に送信する（ステップＳ１０１９）。無線端末１００ａ−３は、図４のステップＳ１１０からステップＳ１１４までと同様に、第１信号を処理する。
【００７０】
以上のように、第１０実施形態の通信制御部１２０ｂは、自無線端末によって生成された信号の送信よりも、受信された信号の送信を優先して、受信された信号の送信を後段の他無線端末に通信部１１０ｂから送信する。これによって、第１０実施形態の無線端末１００ｂは、複数の信号の中継伝送に要する時間を一定時間以内にすることができる。
【００７１】
以上述べた少なくともひとつの実施形態によれば、読み出された管理情報を取得し、信号の送信先となる後段の他無線端末を管理情報に基づいて決定する通信制御部を持つことにより、無線端末は信号の中継伝送に要する時間を一定時間以内にすることができる。
【００７２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１…無線通信システム、１００ａ，１００ｂ…無線端末、１１０ａ，１１０ｂ…通信部、１２０ａ，１２０ｂ…通信制御部、１３０…メモリ、２００…サーバ装置
【図１】
2018152779.tif 000003
【図２】
2018152779.tif 000004
【図３】
2018152779.tif 000005
【図４】
2018152779.tif 000006
【図５】
2018152779.tif 000007
【図６】
2018152779.tif 000008
【図７】
2018152779.tif 000009
【図８】
2018152779.tif 000010
【図９】
2018152779.tif 000011
【図１０】
2018152779.tif 000012
【図１１】
2018152779.tif 000013
【図１２】
2018152779.tif 000014
【図１３】
2018152779.tif 000015
【図１４】
2018152779.tif 000016